(57)【要約】【課題】エレベータの据付作業床装置を、昇降路の広さや昇降路の壁面の強度等に関わらず種々のエレベータに対応可能に構成し、乗場側から簡単に組み立てることができるようにする。【解決手段】エレベータの乗場２に縦柱７を立設し、この縦柱７に、作業床９を支持する水平梁８の一端部を固定する。また、縦柱７の下端部に、他端部が水平梁８に設けられた斜め梁１０の一端部を固定し、この斜め梁１０の中間部と縦柱７とに補助梁１１を設ける。なお、上記斜め梁１０は、一端側１０ａと他端側１０ｂとに分割構成されて一端側１０ａ及び他端側１０ｂが回動自在に連結されるとともに、縦柱７の下端部、補助梁１１、水平梁８に対してそれぞれ回動自在に連結される。【選択図】図１
2010037085.tif 000002
【特許請求の範囲】
【請求項１】
エレベータの乗場に立設された縦柱と、
一端部が前記縦柱に設けられ、前記乗場からエレベータ昇降路内に突出し、作業床を支持する水平梁と、
一端部が前記縦柱の下端部に設けられ、前記乗場から斜め上方に前記昇降路内に突出し、他端部が前記水平梁に設けられた斜め梁と、
一端部が前記斜め梁の中間部に、他端部が前記縦柱に設けられた補助梁と、
を備え、
前記斜め梁は、一端側と他端側とに分割構成されて前記一端側及び前記他端側が回動自在に連結されるとともに、前記縦柱の下端部、前記補助梁、前記水平梁に対してそれぞれ回動自在に連結されたことを特徴とするエレベータの据付作業床装置。
【請求項２】
乗場に立設された２本の縦柱間に設けられ、補助梁の設置高さ及び水平梁の設置高さの間に配置された補助部材と、
を備えたことを特徴とする請求項１に記載のエレベータの据付作業床装置。
【請求項３】
縦柱は、上端部が、乗場開口の上縁よりも上方に突出し、前記乗場開口の上方に配置された乗場壁に支持されたことを特徴とする請求項１又は請求項２に記載のエレベータの据付作業床装置。
【請求項４】
エレベータの乗場に縦柱を立設するステップと、
一端側及び他端側が回動自在に連結された２分割構成からなる斜め梁の一端部を、前記縦柱の下端部に回動自在に連結するステップと、
前記斜め梁の中間部に補助梁の一端部を回動自在に連結した後、前記斜め梁の前記一端側を前記乗場から斜め上方に昇降路内に突出させ、前記補助梁の他端部を前記縦柱に固定するステップと、
前記斜め梁の他端部に水平梁を回動自在に連結した後、前記斜め梁の前記他端側を回転させて前記一端側に対して一直線状に配置し、前記水平梁の一端部を前記縦柱に固定するステップと、
を備えたことを特徴とするエレベータの据付作業床装置の組立方法。
【発明の詳細な説明】
【技術分野】
【０００１】
この発明は、エレベータの据付のために使用される据付作業床装置、並びに据付作業床装置の組立方法に関するものである。
【背景技術】
【０００２】
エレベータを建物に据え付けるためには、エレベータの運転に必要な機器類、及びそれらの機器類を揚重及び取り付けるための機材等を、昇降路の頂部や中間部に設置（或いは、仮設）しなければならない。特に、昇降路の上方に機械室が備えられていない機械室エレベータの据付時や、エレベータのモダニゼーションでは、このような作業が多く発生する。
【０００３】
上述のようなエレベータの据付作業において、昇降路のピットから足場を組み上げていたのでは、特に建物が高い場合に作業効率が著しく低下してしまう。このため、これまでにも、エレベータの乗場側から取り付けることができる据付作業床装置が、数多く提案されている。
エレベータの乗場側から組立可能な据付作業床装置の従来技術として、例えば、エレベータの乗場に立設された縦柱に２本の斜め梁（斜材、支持材）を連結し、据付作業員が乗るための作業床を、この２本の斜め梁によって支持するものが提案されている（特許文献１参照）。
【０００４】
他の従来技術として、作業床を水平梁上に組み立てるとともに、この水平梁を、乗場に立設された縦柱と昇降路奥側の壁面とによって支持するものが提案されている（例えば、特許文献２参照）。
また、他の従来技術として、上下二階床の乗場を使用して、作業床を昇降路内に設置するものも提案されている（例えば、特許文献３参照）。
【０００５】
【特許文献１】特開２００５−８９１４８号公報
【特許文献２】特開平９−１９４１６０号公報
【特許文献３】特開２０００−３２８７７７号公報
【発明の開示】
【発明が解決しようとする課題】
【０００６】
特許文献１記載のものでは、昇降路が広くなる（即ち、昇降路の平面寸法が大きくなる）と、作業床を支持する水平梁や斜め梁（支持材９）の長さが必然的に長くなってしまい、所定の強度を確保するためにその重量も増加してしまう。このため、据付作業床装置の組み立てを行う作業員の人数を増やしたり、安全対策を強化したりしなければならず、作業効率が悪化するといった問題があった。
【０００７】
また、特許文献２記載のものでは、昇降路奥側の壁面によって据付作業床装置の一部を支持しているため、上記壁面の構成によっては、作用する荷重を支持できない場合があった。特に高層建物では、鉄骨や荷重支持力の弱い石膏ボード等によって昇降路が構成される場合が多い。したがって、かかる場合は、昇降路奥側の壁面によって据付作業床装置を支持することができず、特許文献２記載のものを適用できないことがあった。
【０００８】
また、特許文献３記載のものでは、据付作業床装置を設置するために、上下二階床の乗場を使用しなければならない。このため、階間が長い場合やシャトルエレベータのように停止階が連続していない場合には、構成部材の寸法及び重量が著しく増加したり、据付作業床装置の設置が困難になったりするといった問題があった。
【０００９】
この発明は、上述のような課題を解決するためになされたもので、その目的は、昇降路の広さや昇降路の壁面の強度等に関わらず種々のエレベータに対応することができ、更に、乗場側から簡単に組み立てることができるエレベータの据付作業床装置と、その組立方法とを提供することである。
【課題を解決するための手段】
【００１０】
この発明に係るエレベータの据付作業床装置は、エレベータの乗場に立設された縦柱と、一端部が縦柱に設けられ、乗場からエレベータ昇降路内に突出し、作業床を支持する水平梁と、一端部が縦柱の下端部に設けられ、乗場から斜め上方に昇降路内に突出し、他端部が水平梁に設けられた斜め梁と、一端部が斜め梁の中間部に、他端部が縦柱に設けられた補助梁と、を備え、斜め梁は、一端側と他端側とに分割構成されて一端側及び他端側が回動自在に連結されるとともに、縦柱の下端部、補助梁、水平梁に対してそれぞれ回動自在に連結されたものである。
【００１１】
この発明に係るエレベータの据付作業床装置の組立方法は、エレベータの乗場に縦柱を立設するステップと、一端側及び他端側が回動自在に連結された２分割構成からなる斜め梁の一端部を、縦柱の下端部に回動自在に連結するステップと、斜め梁の中間部に補助梁の一端部を回動自在に連結した後、斜め梁の一端側を乗場から斜め上方に昇降路内に突出させ、補助梁の他端部を縦柱に固定するステップと、斜め梁の他端部に水平梁を回動自在に連結した後、斜め梁の他端側を回転させて一端側に対して一直線状に配置し、水平梁の一端部を縦柱に固定するステップと、を備えたものである。
【発明の効果】
【００１２】
この発明によれば、エレベータの据付作業床装置を、昇降路の広さや昇降路の壁面の強度等に関わらず種々のエレベータに対応させることができ、据付作業床装置を乗場側から簡単に組み立てることができるようになる。
【発明を実施するための最良の形態】
【００１３】
この発明をより詳細に説明するため、添付の図面に従ってこれを説明する。なお、各図中、同一又は相当する部分には同一の符号を付しており、その重複説明は適宜に簡略化ないし省略する。
【００１４】
実施の形態１．
図１はこの発明の実施の形態１におけるエレベータの据付作業床装置を示す側面図である。図１において、１はエレベータの昇降路、２はエレベータの乗場である。乗場２は、昇降路１と乗場２とを隔てる乗場壁３に形成された開口４を介して、昇降路１に通じている。なお、図１では、一例として最上階の乗場２を示している。
５は最上階の乗場２に組み立てられた据付作業床装置である。この据付作業床装置５は、エレベータの運転に必要な機器類、及びそれらの機器類を揚重及び取り付けるための機材等を、昇降路１の頂部に設置（或いは、仮設）するためのものである。即ち、エレベータの据付作業員は、この据付作業床装置５に乗って、昇降路１の頂部に対するエレベータの据付作業を行う。
【００１５】
上記据付作業床装置５は、基部６、縦柱７、水平梁８、作業床９、斜め梁１０、補助梁１１によってその要部が構成されている。
基部６及び縦柱７は、据付作業床装置５及びその積載荷重を乗場２に支持させるためのものである。具体的に、基部６は、乗場２の床面２ａから突出するアンカーボルト１２等により、乗場２に強固に固定されている。また、縦柱７は、その下端部が基部６に固定されることにより、乗場２に立設されている。そして、縦柱７の上端部は、開口４の上縁よりも更に上方に突出しており、開口４の上方に配置された乗場壁３に、支持部材１３を介して乗場２側から支持されている。なお、上記基部６は、その機能的な観点から、縦柱７の一部（下端部）とみなすことも可能である。
【００１６】
水平梁８は、床板１４及び手摺１５からなる上記作業床９を支持する機能を有している。具体的に、水平梁８は、その一端部が縦柱７の上端部寄りに固定されるとともに、乗場２から昇降路１内に突出するように、昇降路１の奥側に向かって水平に配置される。そして、同じ高さに水平に配置された２本の水平梁８に床板１４が架け渡され、この床板１４の四方に手摺１５が立設されている。
【００１７】
また、斜め梁１０は、昇降路１内に突出した水平梁８を、下方から支持する機能を有している。この斜め梁１０は、一端部が縦柱７の下端部に固定されるとともに、乗場２から斜め上方に昇降路１内に突出するように、昇降路１の奥側に向かって一直線状に配置されている。また、斜め梁１０の他端部は、水平梁８の他端部寄り（先端側）に設けられている。
【００１８】
なお、上記斜め梁１０は、一端側１０ａと他端側１０ｂとに分割構成されており、一端側１０ａ及び他端側１０ｂが、所定の範囲内で回動可能に連結されている。具体的に、斜め梁１０は、他端側１０ｂが、一端側１０ａに対して一直線状に配置された状態から一方の方向に回転できないように構成されている。図１においては、斜め梁１０は、昇降路１内に斜め上方に突出するように一直線状に配置された状態から、他端側１０ｂが乗場２に接近する方向（図１に示すＡ方向）に回転することができ、反対方向（図１に示すＢ方向）には回転することができない機構を有している。
【００１９】
補助梁１１は、乗場２の床面２ａと水平梁８のほぼ中間高さに水平状態に配置されるとともに、一端部が斜め梁１０の中間部に設けられ、他端部が縦柱７の中間部に固定されている。
なお、図１に示す１６は乗場２と作業床９との間に架け渡された梯子である
【００２０】
据付作業床装置５は、水平梁８の一端部、補助梁１１の他端部、斜め梁１０の一端部がそれぞれ縦柱７に固定され、且つ斜め梁１０が図１のＢ方向に回転することはないため、組立完了後は各構成要素が強固に固定され、積載荷重を支持するのに十分な構成を有している。一方、その組み立てを簡単且つ短時間で完了することができるように、上記据付作業床装置５は、斜め梁１０が、縦柱７の下端部、補助梁１１、水平梁８に対してそれぞれ回動自在に連結されている。
【００２１】
次に、図２乃至図７に基づき、上記構成を有する据付作業床装置５の組立方法について具体的に説明する。図２乃至図７は図１に示す据付作業床装置の組立方法を説明するための図である。
エレベータの据付作業員は、据付作業床装置５を図１に示す状態に組み立てる場合、先ず、最上階の乗場２において、アンカーボルト１２を利用して床面２ａに基部６を強固に固定する。そして、縦柱７の下端部を基部６に固定して縦柱７を乗場２に立設し、その上端部を、支持部材１３を介して開口４上方の乗場壁３に支持させる。
【００２２】
据付作業員は、上記２分割構成からなる斜め梁１０を、予め、一端側１０ａと他端側１０ｂとを重ね合わせて半分に折り畳んだ状態にしておき、一端部を縦柱７の下端部に回動自在に連結する。また、斜め梁１０の一端部を縦柱７の下端部に連結する前、或いは連結した後に、補助梁１１の一端部を斜め梁１０の中間部に回動自在に連結する。据付作業員は、斜め梁１０の一端部を縦柱７の下端部に連結し、且つ補助梁１１の一端部を斜め梁１０の中間部に連結した後、補助梁１１の一端部を昇降路１内に押し出して、斜め梁１０をその一端部を中心に回転させる。そして、斜め梁１０の一端側１０ａを、乗場２から斜め上方に向けて昇降路１内に突出させる。また、斜め梁１０の上記配置を保持したまま補助梁１１を水平に配置し、補助梁１１の他端部を縦柱７の中間部に固定する（図３参照）。
【００２３】
次に、据付作業員は、図４に示すように、斜め梁１０の他端側１０ｂを、一端側１０ａとの連結部分を中心に回転させるように持ち上げ、その他端部を水平梁８の先端側に回動自在に連結する。なお、乗場２の間口方向に所定の間隔を有して立設された２本の縦柱７（図１乃至図７においては、一方の縦柱７のみ図示されており、一方の縦柱７に重なって配置された他方の縦柱７は図示されていない）間には、補助梁１１の設置高さよりも上方位置で、且つ水平梁８の設置高さよりも下方位置に、補助部材１７が水平に設けられている。このため、据付作業員は、例えば、図４に示すように、水平梁８を補助部材１７に立て掛けておき、その状態で、斜め梁１０の他端側１０ｂと水平梁８との連結作業を行う。
【００２４】
斜め梁１０の他端部を水平梁８に連結した後、据付作業員は、水平梁８の先端側を昇降路１内に押し出して、斜め梁１０の他端側１０ｂを一端側１０ａとの連結部分を中心に回転させる。そして、斜め梁１０が乗場２から斜め上方に向けて昇降路１内に突出するように、上記他端側１０ｂを一端側１０ａに対して一直線状に配置する。また、斜め梁１０の上記配置を保持したまま水平梁８を水平に配置し、水平梁８の一端部を縦柱７の上端部寄りに固定する（図５参照）。
【００２５】
なお、補助部材１７が上記配置に設けられている場合には、図５に示すように、水平梁８を補助部材１７に支持させた状態で水平梁８を昇降路１内に押し出せば、上記作業をより簡単に行うことができる。
【００２６】
水平梁８を縦柱７に固定した後、据付作業員は、図６に示すように、縦柱７の下端部と水平梁８とに梯子１６を固定する。そして、取り付けた梯子１６を利用して床板１４を手前側から順番に水平梁８に固定し、その後、床板１４の四方を取り囲むように手摺１５を立設する（図７参照）。
以上の手順によって、据付作業床装置５を図１に示す状態に組み立てることができる。
【００２７】
この発明の実施の形態１によれば、据付作業床装置５を昇降路１の広さや昇降路１の壁面の強度等に関わらず種々のエレベータに対応させることができ、更に、乗場２側から簡単に組み立てることができるようになる。
【００２８】
即ち、上記構成の据付作業床装置５は、従来技術のように、上下二階床の乗場を利用したり、昇降路１奥側の壁面を利用したりする必要はなく、１つの乗場２に自重及び積載荷重を支持させることができる。また、その組立において、補助梁１１を縦柱７に固定して斜め梁１０の一端側１０ａを動かないようにした後に、この斜め梁１０の一端側１０ａを利用して水平梁８と斜め梁１０の他端側１０ｂとを所望の位置に配置する２段階の押し出し手順を採用しているため、据付作業員は、昇降路１が広い場合であっても、組立時に乗場２から乗り出したり、無理な姿勢で重量物を支えたりする必要もない。
【図面の簡単な説明】
【００２９】
【図１】この発明の実施の形態１におけるエレベータの据付作業床装置を示す側面図である。
【図２】図１に示す据付作業床装置の組立方法を説明するための図である。
【図３】図１に示す据付作業床装置の組立方法を説明するための図である。
【図４】図１に示す据付作業床装置の組立方法を説明するための図である。
【図５】図１に示す据付作業床装置の組立方法を説明するための図である。
【図６】図１に示す据付作業床装置の組立方法を説明するための図である。
【図７】図１に示す据付作業床装置の組立方法を説明するための図である。
【符号の説明】
【００３０】
１  昇降路
２  乗場
２ａ  床面
３  乗場壁
４  開口
５  据付作業床装置
６  基部
７  縦柱
８  水平梁
９  作業床
１０  斜め梁
１０ａ  一端側
１０ｂ  他端側
１１  補助梁
１２  アンカーボルト
１３  支持部材
１４  床板
１５  手摺
１６  梯子
１７  補助部材
【図１】
2010037085.tif 000003
【図２】
2010037085.tif 000004
【図３】
2010037085.tif 000005
【図４】
2010037085.tif 000006
【図５】
2010037085.tif 000007
【図６】
2010037085.tif 000008
【図７】
2010037085.tif 000009